(57)【要約】【課題】コストをかけることなく、無線モジュールの高い防水性および良好な通信性能を確保できる洗濯機を提供する。【解決手段】無線通信用の無線モジュール２０を備えた洗濯機１０は、本体筐体の一部として、金属筐体である下部筐体１１と、下部筐体１１の背面の一部を覆うように取り付けられる後部カバー部材１３とを有している。無線モジュール２０は、後部カバー部材１３の内部空間の左右方向の一方の端部に配置されている。洗濯機１０の洗濯槽へ水道水を給水するための給水系４０は、本体筐体の後方側において、無線モジュール２０の上方であり、かつ、無線モジュール２０とは反対側の端部に配置されている。【選択図】図２
2020157006.tif 000002
【特許請求の範囲】
【請求項１】
無線通信用の無線モジュールを備えた洗濯機であって、
少なくとも一部に金属筐体を含む本体筐体と、
前記金属筐体の背面の一部を覆うように取り付けられる後部カバー部材とを有しており、
前記無線モジュールは、前記後部カバー部材の内部空間の左右方向の一方の端部に配置され、
当該洗濯機の洗濯槽へ水道水を給水するための給水系は、前記本体筐体の後方側において、前記無線モジュールの上方であり、かつ、前記無線モジュールとは反対側の端部に配置されていることを特徴とする洗濯機。
【請求項２】
請求項１に記載の洗濯機であって、
当該洗濯機は、乾燥機能を有する洗濯乾燥機であり、
乾燥機能のための熱源は、前記本体筐体の後方側において、前記無線モジュールの上方であり、かつ、前記無線モジュールと同一側の端部に配置されていることを特徴とする洗濯機。
【請求項３】
請求項１または２に記載の洗濯機であって、
前記無線モジュールは、無線通信基板と、一方の面が開放された１つのモジュールケースとから構成され、
上記無線モジュールは、前記モジュールケースの開放された側の面を前記無線モジュールが取り付けられるケース部材に対向させて取り付けられ、
前記無線通信基板は、前記ケース部材と、前記モジュールケースとで形成される空間内に収容されることを特徴とする洗濯機。
【請求項４】
請求項３に記載の洗濯機であって、
前記ケース部材における前記無線通信基板の上方にはリブが形成されており、前記ケース部材の前記リブと前記モジュールケースの上板とによってラビリンス構造が形成されていることを特徴とする洗濯機。
【発明の詳細な説明】
【技術分野】
【０００１】
本発明は、無線モジュールを備えた洗濯機に関する。
【背景技術】
【０００２】
近年、様々な電化製品におけるＩｏＴ（Internet of Things）や、住宅内ネットワークの構築などが進んでおり、洗濯機においても無線通信用の無線モジュールを備えたものがある。無線モジュールを備えた洗濯機においては、防水性や通信性能を損なわないようにして無線モジュールを取り付けることが要求される。
【０００３】
特許文献１には、無線通信基板を二重構造のケースに収納し、かつ、無線通信基板の角度をケース内で変更可能とした無線モジュールの構成が開示されている。すなわち、特許文献１に開示の洗濯機は、無線通信基板を二重構造のケースに収納することで高い防水性を確保し、アンテナの感度がよい方向へ無線通信基板の取付角度を変更することで良好な通信性能を得るようになっている。
【先行技術文献】
【特許文献】
【０００４】
【特許文献１】特許第３９１５８９７号公報
【発明の概要】
【発明が解決しようとする課題】
【０００５】
しかしながら、特許文献１の洗濯機では、ケースを二重構造としたり無線通信基板の取付角度をケース内で変更可能としたりすることでその構造が複雑となり、コストが高くなるといった問題がある。また、無線モジュールは洗濯機の下部付近に配置されており、その周囲は金属筐体に囲まれている。このため、無線モジュールの通信性能は金属筐体によって損なわれやすく、無線通信基板の取付角度を変更するのみでは良好な通信性能が得られない場合もあると考えられる。さらには、無線モジュールの取付位置によっては、無線モジュールの水没の虞もある。
【０００６】
本発明は、上記課題に鑑みてなされたものであり、コストをかけることなく、無線モジュールの高い防水性および良好な通信性能を確保できる洗濯機を提供することを目的とする。
【課題を解決するための手段】
【０００７】
上記の課題を解決するために、本発明は、無線通信用の無線モジュールを備えた洗濯機であって、少なくとも一部に金属筐体を含む本体筐体と、前記金属筐体の背面の一部を覆うように取り付けられる後部カバー部材とを有しており、前記無線モジュールは、前記後部カバー部材の内部空間の左右方向の一方の端部に配置され、当該洗濯機の洗濯槽へ水道水を給水するための給水系は、前記本体筐体の後方側において、前記無線モジュールの上方であり、かつ、前記無線モジュールとは反対側の端部に配置されていることを特徴としている。
【０００８】
上記の構成によれば、無線モジュールおよび給水系は共に本体筐体の後方側に配置され、給水系は、無線モジュールの上方であり、かつ、無線モジュールとは反対側の端部に配置される。これにより、仮に給水系から水が漏れたとしても、無線モジュールは給水系とは逆側の端部にあるため、無線モジュールには水が掛かりにくい。このため、無線モジュール自体は、二重構造のケースのような複雑な構成としなくてもよく、低コストで十分な防水性が確保できる。また、後部カバー部材は樹脂製であるため、後部カバー部材の内部空間、すなわち金属筐体の外側に配置される無線モジュールは、少なくとも左右方向および後方向において金属筐体に囲まれることがなく、良好な通信性能を確保することができる。
【０００９】
また、上記洗濯機は、乾燥機能を有する洗濯乾燥機であり、乾燥機能のための熱源は、前記本体筐体の後方側において、前記無線モジュールの上方であり、かつ、前記無線モジュールと同一側の端部に配置されている構成とすることができる。
【００１０】
上記の構成によれば、熱源と無線モジュールとは、左右方向においては同一側であるが、上下方向においては無線モジュールが熱源の下方に配置され、熱源の周囲の空気は温められることで上昇するため、無線モジュールへの熱影響を最小限とすることができる。
【００１１】
また、上記洗濯機では、前記無線モジュールは、無線通信基板と、一方の面が開放された１つのモジュールケースとから構成され、上記無線モジュールは、前記モジュールケースの開放された側の面を前記無線モジュールが取り付けられるケース部材に対向させて取り付けられ、前記無線通信基板は、前記ケース部材と、前記モジュールケースとで形成される空間内に収容される構成とすることができる。
【００１２】
上記の構成によれば、無線モジュールが取り付けられるケース部材自体を無線通信基板の防水に利用でき、モジュールケースは無線通信基板の片側だけを覆うものとなるため、より構造が簡単で低コストとなる防水構造を得ることができる。
【００１３】
また、上記洗濯機では、前記ケース部材における前記無線通信基板の上方にはリブが形成されており、前記ケース部材の前記リブと前記モジュールケースの上板とによってラビリンス構造が形成されている構成とすることができる。
【００１４】
上記の構成によれば、仮にケース部材とモジュールケースとの隙間から水が入り込んだとしても、その水はラビリンス構造によってケース部材もしくはモジュールケースの内側面に案内され、ケース部材のもしくはモジュールケースの内側面を伝って流れるため、無線通信基板が濡れることを防止できる。
【発明の効果】
【００１５】
本発明の洗濯機は、無線モジュールを樹脂製である後部カバー部材の内部空間に配置すると共に、給水系を、無線モジュールの上方であり、かつ、無線モジュールとは反対側の端部に配置することで、無線モジュール自体を二重構造のケースのような複雑な構成としなくても、低コストで十分な防水性が確保でき、かつ、無線モジュールの周囲が金属筐体に囲まれることがなく、良好な通信性能を確保することができるといった効果を奏する。
【図面の簡単な説明】
【００１６】
【図１】実施の形態１に係る洗濯機の外観を示すものであり、洗濯機を斜め後ろから見た斜視図である。
【図２】図１に示す洗濯機において、下部筐体から後部カバー部材を取り外し、後部カバー部材の内部空間を見える状態とした斜視図である。
【図３】図１に示す洗濯機において、上部筐体における背面板を外し、上部筐体の内部を見える状態とした斜視図である。
【図４】実施の形態に係る無線モジュールの構造を示す図であり、無線モジュールを裏側から見た斜視図である。
【図５】無線モジュールを取り付ける前の基板ケースにおいて、無線モジュールの取付箇所付近の拡大斜視図である。
【図６】無線モジュールを取り付けた状態の基板ケースにおいて、無線モジュールの取付箇所を含む縦断面図である。
【発明を実施するための形態】
【００１７】
〔実施の形態１〕
以下、本発明の実施の形態について、図面を参照して詳細に説明する。図１は、本実施の形態１に係る洗濯機１０の外観を示すものであり、洗濯機１０を斜め後ろから見た斜視図である。図１に示すように、洗濯機１０の外観は、洗濯機１０の本体筐体を構成する下部筐体１１および上部筐体１２と、後部カバー部材１３と、蓋体１４とによって構成されている。
【００１８】
下部筐体１１は、本体筐体の大部分をなすものであり、金属製の筐体（金属筐体）として構成されている。上部筐体１２は、下部筐体１１の上方に配置されるものであり、樹脂製の筐体として構成されている。後部カバー部材１３は、下部筐体１１の背面の一部を覆うように取り付けられるものであり、樹脂製の部材として構成されている。蓋体１４は、上部筐体１２の上面に取り付けられるものであり、上部筐体１２上面の洗濯物投入口を開閉可能に覆うように設けられている。
【００１９】
洗濯機１０は、インターネットやホームサーバーとなる端末装置などと無線通信可能となっており、そのため、無線通信用の無線モジュール２０（図２参照）を備えている。但し、無線モジュール２０で用いられる通信技術は特に限定されるものではない。
【００２０】
本実施の形態１に係る洗濯機１０は、無線モジュール２０の取付構造に特徴を有するものである。以下、本発明の特徴点に絞って洗濯機１０の説明を行い、洗濯機１０の公知の構造については詳細な図示や説明を省略する。
【００２１】
図２は、図１に示す洗濯機１０において、下部筐体１１から後部カバー部材１３を取り外し、後部カバー部材１３の内部空間を見える状態とした斜視図である。尚、後部カバー部材１３の内部空間とは、下部筐体１１の背面および後部カバー部材１３の前面端よりも後方に存在する空間を意味する。また、図２において、下部筐体１１の内部構造（洗濯槽など）は図示を省略している。
【００２２】
図２に示すように、下部筐体１１の背面側であって、後部カバー部材１３の内部空間には無線モジュール２０およびメイン回路基板３０が配置される。具体的には、後部カバー部材１３の内部空間には、無線モジュール２０およびメイン回路基板３０を所定位置に保持するための樹脂製の基板ケース（ケース部材）１３１が配置され、無線モジュール２０およびメイン回路基板３０は基板ケース１３１に取り付けられる。すなわち、無線モジュール２０およびメイン回路基板３０は、下部筐体１１に対しては外側に配置されている。メイン回路基板３０は、洗濯機１０の動作を制御するマイコンなどの制御回路や、制御回路及び洗濯機１０に備えた各種モータや弁などを駆動するための電源回路などを備えている。無線モジュール２０は、制御回路に入出力されるデータを無線信号に変換する機能を有している。尚、図２において、メイン回路基板３０の具体的な回路構造部分については図示を省略している。
【００２３】
この例では、基板ケース１３１に対し後方から見て右側にメイン回路基板３０が取り付けられ、後方から見て左側に無線モジュール２０が取り付けられている。そして、無線モジュール２０は、メイン回路基板３０に対して配線（図示せず）などで接続される。このように、洗濯機１０では、無線モジュール２０は後部カバー部材１３の内部空間において、左右方向の一方の端部（図２では左側端部）に配置される。
【００２４】
洗濯機１０では、当然ながら、メイン回路基板３０の防水性を確保するための対策も必要となる。メイン回路基板３０の防水対策としては、一般に樹脂ポッティングと呼ばれる手法が用いられる。すなわち、メイン回路基板３０の表面（回路形成面）に樹脂（例えばウレタン樹脂）を流し込んで樹脂層を形成し、この樹脂層によってメイン回路基板３０の防水性を確保する。この樹脂ポッティングにおいて、樹脂層の層厚はｍｍオーダーの比較的厚いものとされている。
【００２５】
一方、本実施の形態１に係る洗濯機１０において、無線モジュール２０は、メイン回路基板３０とは別途に備えられている。すなわち、メイン回路基板３０に無線通信回路を作り込み、樹脂ポッティングによって防水性を確保するといった方法は取っていない。これは、以下の理由による。
【００２６】
メイン回路基板３０に無線通信回路を作り込むとすれば、メイン回路基板３０上には、配線にて構成されるパターンアンテナが形成されることになる。このパターンアンテナは、所望の周波数特性を有するように高い寸法精度で設計される必要があり、その上に樹脂ポッティングによって層厚の大きい樹脂層を形成することは、樹脂層の膨張（温度変化や吸湿による膨張）や樹脂の誘電率による波長短縮などでパターンアンテナの周波数特性に悪影響を与える虞がある。このため、本実施の形態１に係る洗濯機１０は、無線モジュール２０を備え、無線モジュール２０においてメイン回路基板３０とは別の防水対策を取る構成とされている。
【００２７】
一例としては、無線モジュール２０は、無線通信回路の形成された無線通信基板をモジュールケースに収納した構成とし、モジュールケースによって無線通信基板の防水性を得ることが考えられる。尚、この場合の無線通信基板は、その表面（回路形成面）にウレタン樹脂などを塗布して薄い樹脂膜を形成し、防水性を高めた構成とされていてもよい。無論、この場合の樹脂膜は、無線通信基板に形成されるパターンアンテナの周波数特性に悪影響を与えないような膜厚および材質とされる。
【００２８】
尚、基板ケース１３１において、メイン回路基板３０の配置領域と無線モジュール２０の配置領域との間には区画板１３１Ａが形成されている。この区画板１３１Ａにより、メイン回路基板３０に対する樹脂ポッティングをメイン回路基板３０のみに施すことができる。
【００２９】
図３は、上部筐体１２における背面板１２Ａ（図１参照）を外し、上部筐体１２の内部を見える状態とした斜視図である。洗濯機１０において、洗濯槽へ水道水を給水するための給水系４０（給水ポンプや電磁弁）は、無線モジュール２０やメイン回路基板３０と同じく洗濯機１０の後方側に設けられる。給水系４０は、図３に示すように、上部筐体１２の内部空間において、その後方側に設けられる。
【００３０】
給水系４０は、メイン回路基板３０の上方であり、かつ、無線モジュール２０とは反対側の端部（図３では右側端部）に配置される。これにより、仮に給水系４０から水が漏れたとしても、無線モジュール２０は給水系４０とは逆側の端部にあるため、無線モジュール２０には水が掛かりにくい。したがって、特許文献１のように無線モジュール２０を二重ケース構造としたり、樹脂ポッティングなどで層厚の大きい樹脂層を形成したりせずとも十分な防水性が確保でき、低コストで十分な防水性を得ることができる。
【００３１】
さらに、本実施の形態１に係る洗濯機１０において、無線モジュール２０の通信性能は、無線モジュール２０を後部カバー部材１３の内部空間に配置することで確保されている。すなわち、後部カバー部材１３は樹脂製であり、後部カバー部材１３の内部空間であって、下部筐体１１の外側に配置される無線モジュール２０は、少なくとも左右方向および後方向において金属筐体に囲まれることがなく（金属筐体によって通信が阻害されにくく）、良好な通信性能を確保することができる。
【００３２】
〔実施の形態２〕
洗濯機１０を、乾燥機能を有する洗濯乾燥機とする場合、洗濯機１０の内部には乾燥機能のための熱源５０（図３参照）も配置される。この場合、熱源５０をユーザに近い洗濯機１０の前方側に配置することは好ましくないため、熱源５０は、無線モジュール２０やメイン回路基板３０と同じく洗濯機１０の後方側に設けられる。また、無線モジュール２０および熱源５０は、無線モジュール２０に対する熱影響を少なくするように配置されることが望ましい。尚、乾燥機能のための熱源５０の種類は特に限定されるものではなく、例えば、洗濯機１０がヒータ式の洗濯乾燥機である場合はヒータが熱源５０であり、洗濯機１０がヒートポンプ式の洗濯乾燥機である場合は凝縮器が熱源５０となる。
【００３３】
熱源５０は、図３に示すように、上部筐体１２の後方側において給水系４０と並ぶように配置されるが、給水系４０とは反対側の端部（図３では左側端部）に配置される。すなわち、熱源５０は、左右方向においては無線モジュール２０と同一側に配置され、上下方向においては、無線モジュール２０の上方に配置される。この構成の場合、熱源５０と無線モジュール２０とは、左右方向においては同一側であるが、上下方向においては無線モジュール２０が熱源５０の下方に配置されている。そして、熱源５０の周囲の空気は温められることで上昇するため、無線モジュール２０への熱影響を最小限とすることができる。
【００３４】
〔実施の形態３〕
本実施の形態３では、洗濯機１０における無線モジュール２０のさらに好適な構成例について説明する。
【００３５】
上述したように、無線モジュール２０における好適な構成は、無線通信基板をモジュールケース内に収容し、モジュールケースによって無線通信基板の防水性を確保するというものである。このモジュールケースは、２つの部材からなるモジュールケースによって無線通信基板を両側から挟み込み、モジュールケース内部に無線通信基板を完全に収容する構造とすることも考えられる。
【００３６】
これに対し、本実施の形態３では、単一部材からなるモジュールケースを用い、より簡易で低コストな構造によって、無線通信基板の防水性を確保する構成を説明する。図４は、本実施の形態３に係る無線モジュール２０の構造を示す図であり、無線モジュール２０を裏側（基板ケース１３１への取付側）から見た斜視図である。
【００３７】
図４に示すように、本実施の形態３に係る無線モジュール２０は、無線通信基板２１と、裏側の面が開放された１つのモジュールケース２２とから構成されている。また、無線通信基板２１は、モジュールケース２２に対してビス２３などで固定されるようになっている。上記構造の無線モジュール２０は、モジュールケース２２の開放側の面を基板ケース１３１に対向して取り付けられる。この構造では、基板ケース１３１とモジュールケース２２とで形成される空間内に無線通信基板２１が収容されることで、無線通信基板２１の防水性が確保される。また、モジュールケース２２は、無線通信基板２１の片側だけを覆うものであるため、部材点数が削減でき、より低コストとなる。
【００３８】
図５は、無線モジュール２０を取り付ける前の基板ケース１３１において、無線モジュール２０の取付箇所付近の拡大斜視図である。図６は、無線モジュール２０を取り付けた状態の基板ケース１３１において、無線モジュール２０の取付箇所を含む縦断面図である。基板ケース１３１においては、図５および図６に示すように、無線通信基板２１の上方にリブ１３１Ｂを形成し、基板ケース１３１に無線モジュール２０を取り付けたときに、リブ１３１Ｂとモジュールケース２２の上板２２Ａとによってラビリンス構造が形成されることが好ましい。
【００３９】
このラビリンス構造により、基板ケース１３１とモジュールケース２２との隙間から水が入り込んだとしても、その水は基板ケース１３１の内側面１３１Ｃに案内されて内側面１３１Ｃを伝って流れるため、無線通信基板２１が濡れることを防止できる。
【００４０】
尚、図４〜図６に示す構成では、無線通信基板２１がモジュールケース２２に対してビス２３などで固定され、無線通信基板２１が固定されたモジュールケース２２を基板ケース１３１に取り付ける構成とされている。しかしながら、本発明の構成はこれに限定されるものではない。例えば、無線通信基板２１を基板ケース１３１に対してビスなどで固定し、無線通信基板２１を覆うようにモジュールケース２２を基板ケース１３１に取り付ける構成であってもよい。
【００４１】
また、図５および図６に示す構成では、モジュールケース２２の上板２２Ａの上にリブ１３１Ｂを配置してラビリンス構造を形成している。しかしながら、本発明の構成はこれに限定されるものではない。例えば、リブ１３１Ｂの上にモジュールケース２２の上板２２Ａを配置してラビリンス構造を形成してもよい。この場合は、基板ケース１３１とモジュールケース２２との隙間から水が入り込んだとしても、その水はモジュールケース２２の内側面に案内されて当該内側面を伝って流れるため、無線通信基板２１が濡れることを防止できる。
【００４２】
上記説明では、本発明が適用される洗濯機１０が縦型洗濯機である場合を例示したが、本発明はこれに限定されるものではなく、ドラム式洗濯機にも適用可能である。本発明をドラム式洗濯機に適用する場合、本体筐体は、特に上部筐体および下部筐体に分かれている必要はなく、金属製である１つの本体筐体を含むものであってもよく、樹脂製である背面カバー部材は本体筐体の背面の一部を覆うように取り付けられるものであればよい。
【００４３】
今回開示した実施形態はすべての点で例示であって、限定的な解釈の根拠となるものではない。したがって、本発明の技術的範囲は、上記した実施形態のみによって解釈されるものではなく、特許請求の範囲の記載に基づいて画定される。また、特許請求の範囲と均等の意味および範囲内でのすべての変更が含まれる。
【符号の説明】
【００４４】
１０    洗濯機
１１    下部筐体（金属筐体、本体筐体の一部）
１２    上部筐体（本体筐体の一部）
１３    後部カバー部材
１３１    基板ケース（ケース部材）
１３１Ｂ    リブ（ラビリンス構造の一部）
１４    蓋体
２０    無線モジュール
２１    無線通信基板
２２    モジュールケース
２２Ａ    上板（ラビリンス構造の一部）
３０    メイン回路基板
４０    給水系
５０    熱源
【図１】
2020157006.tif 000003
【図２】
2020157006.tif 000004
【図３】
2020157006.tif 000005
【図４】
2020157006.tif 000006
【図５】
2020157006.tif 000007
【図６】
2020157006.tif 000008